(57)【要約】【課題】加入者端末間の通信を制限しているＶＬＡＮ環境下においてＶｏＩＰを可能とする。【解決手段】ＩＰ電話の呼設定をするためのインターネットプロトコルを実行するＳＩＰサーバ４００に、メディアスイッチ手段７００と変換テーブル８００を具備する。メディアスイッチ手段はＶＬＡＮに接続されている加入者端末１００〜１０３からの呼制御メッセージ内にメディア信号の受信先として指定している自加入者端末のＩＰアドレスとポート番号を、プールされている使用可能なＳＩＰサーバのＩＰアドレスとポート番号に書き換える。変換テーブルは書き換えた対応付け情報を保存する。メディアスイッチ手段は、メディア信号通信時には、加入者端末から受信したＳＩＰサーバのＩＰアドレスとポート番号宛のメディア信号を、変換テーブルを元に変換した相手加入者端末のＩＰアドレスとポート番号宛に送信する。【選択図】        図１
2005020080.tif 000002
【特許請求の範囲】
【請求項１】
ＶＬＡＮ環境下における加入者端末間通信システムであって、
ＩＰ電話の呼設定をするためのインターネットプロトコルを実行するＳＩＰサーバに、
ＶＬＡＮに接続されている加入者端末からの呼制御メッセージ内にメディア信号の受信先として指定している自加入者端末のＩＰアドレスとポート番号を、プールされている使用可能なＳＩＰサーバのＩＰアドレスとポート番号に書き換えるメディアスイッチ手段と、
前記書き換えた対応付け情報を保存する変換テーブルとを具備し、
前記メディアスイッチ手段は、メディア信号通信時には、前記加入者端末から受信したＳＩＰサーバのＩＰアドレスとポート番号宛のメディア信号を、前記変換テーブルを元に変換した相手加入者端末のＩＰアドレスとポート番号宛に送信することを特徴とする加入者端末間通信システム。
【請求項２】
前記メディア信号の受信先として指定している自加入者端末のＩＰアドレスとポート番号は、発呼加入者端末からの呼制御メッセージ内及び該呼制御メッセージに応答する応答加入者端末からの呼制御メッセージ内に指定されていること請求項１記載の加入者端末間通信システム。
【請求項３】
前記発呼加入者端末が応答加入者端末からのメディア信号を受信するためのＩＰアドレスとポート番号は、ＳＩＰメッセージの「ＩＮＶＩＴＥ」上にコーディングし、前記応答加入者端末が発呼加入者端末からのメディア信号を受信するためのＩＰアドレスとポート番号は、ＳＩＰメッセージの「２０００ＯＫ」上にコーディングされることを特徴とする請求項２記載の加入者端末間通信システム。
【請求項４】
ＶＬＡＮ環境下における加入者端末間通信方法であって、
ＶＬＡＮに接続されている加入者端末から発呼された呼制御メッセージ内にメディア信号の受信先として指定している自加入者端末のＩＰアドレスとポート番号を、プールされている使用可能なＳＩＰサーバのＩＰアドレスとポート番号に書き換える段階と、
前記呼制御メッセージに応答する加入者端末からの呼制御メッセージ内にメディア信号の受信先として指定している自加入者端末のＩＰアドレスとポート番号を、プールされている使用可能なＳＩＰサーバのＩＰアドレスとポート番号に書き換える段階と、
前記書き換えた対応付け情報を前記ＳＩＰサーバ内の変換テーブル保存する段階と、
前記加入者端末から発呼され受信した前記ＳＩＰサーバのＩＰアドレスとポート番号宛のメディア信号を、前記変換テーブルを元に変換した相手加入者端末のＩＰアドレスとポート番号宛に送信する段階とを有することを特徴とする加入者端末間通信方法。
【発明の詳細な説明】
【０００１】
【発明の属する技術分野】
本発明は、ＩＰネットワークにおける加入者端末間通信システムに関する。
【０００２】
【従来の技術】
従来、この種の加入者端末間通信は、電話網とＩＰ網とを接続する音声中継装置で、宛先電話番号に従ってアドレス管理テーブルを参照し、そこで指定された次中継点アドレスに最終宛先アドレスを含む音声パケットを転送することを繰り返すことにより行っている（例えば、特許文献１）。この結果、ＩＰ網内で音声パケットを予め指定した経路で転送可能としている。
【０００３】
また、異なるアドレス体系を使用する複数のＩＰネットワークを相互に接続し、一のＩＰネットワークから受信したＩＰパケットのＩＰアドレス情報を相互に変換して他のＩＰネットワークに対する音声信号の転送を行うときに、一のＩＰネットワークに属する通信端末から、他のＩＰネットワークに属する通信端末についてのアドレス要求を受信すると、当該発呼先通信端末の属するＩＰネットワークから当該通信端末のアドレス情報を取得するようにしている（例えば、特許文献２）。
【０００４】
【特許文献１】
特開２００１−２８５３５８（第１頁〜第８頁、図１）
【特許文献２】
特開２００１−１５６８５２（第１頁〜第７頁、図１）
【０００５】
【発明が解決しようとする課題】
ところで、ＩＰネットワークのセキュリティを確保するための技術としてＶＬＡＮ（Ｖｉｒｔｕａｌ  Ｌｏｃａｌ  Ａｒｅａ  Ｎｅｔｗｏｒｋ）が知られている。ＶＬＡＮは、ＩＰネットワーク上で仮想的なＬＡＮのグループを形成し、グループ外との通信をレイヤ２レベルで規制する。従来、このようなＶＬＡＮ環境下においてＶｏＩＰ（Ｖｏｉｃｅ  Ｏｖｅｒ  Ｉｎｔｅｒｎｅｔ  Ｐｒｏｔｏｃｏｌ）に対する要請は乏しかった。しかし、近年では、ＶＬＡＮ環境下において加入者端末間での通信が望まれてきている。
【０００６】
しかしながら、ＶＬＡＮにおいてはレイヤ２レベルでパケット通信を規制しているため、特許文献１記載の技術では、ＶＬＡＮ環境下でＩＰアドレスによるルーティング先の指定ができず、ＶＬＡＮ環境において音声中継装置へのルーティングができないという第１の問題点がある。
【０００７】
更に、特許文献１記載の技術では、電話番号に対してルーティング先のＩＰアドレスを割り振っているため、呼毎にルーティング先を選択させたり、ポート番号の指定ができないという第２の問題点もある。
【０００８】
また、特許文献２記載の技術では、異なるネットワーク間での通信のためのアドレス変換を行うことから、ＶＬＡＮ環境では不要な制御信号のアドレス変換までを実施していることになるという第１の問題点がある。
【０００９】
更に、特許文献２記載の技術では、Ｈ．３２３プロトコルに依存したアドレス変換方式となっており、ＳＩＰなど他のプロトコルへの汎用性がないという第２の問題点もある。
【００１０】
そこで、本発明の主な目的は、加入者端末間の通信を制限しているＶＬＡＮ環境下において、ＶｏＩＰを可能とする加入者端末間通信システムを提供することにある。
【００１１】
本発明の他の目的は、既存のデータネットワーク構成に影響を与えることなく、ＶｏＩＰサービスの導入ができる加入者端末間通信システムを提供することにある。
【００１２】
【課題を解決するための手段】
本発明の加入者端末間通信システムは、ＶＬＡＮ環境下における加入者端末間通信システムであって、ＩＰ電話の呼設定をするためのインターネットプロトコルを実行するＳＩＰサーバに、ＶＬＡＮに接続されている加入者端末からの呼制御メッセージ内にメディア信号の受信先として指定している自加入者端末のＩＰアドレスとポート番号を、プールされている使用可能なＳＩＰサーバのＩＰアドレスとポート番号に書き換えるメディアスイッチ手段と、書き換えた対応付け情報を保存する変換テーブルとを具備し、メディアスイッチ手段は、メディア信号通信時には、加入者端末から受信したＳＩＰサーバのＩＰアドレスとポート番号宛のメディア信号を、変換テーブルを元に変換した相手加入者端末のＩＰアドレスとポート番号宛に送信することを特徴とする。
【００１３】
本発明では、先ず、ＶＬＡＮに接続されている加入者端末から発呼された呼制御メッセージ内にメディア信号の受信先として指定している自加入者端末のＩＰアドレスとポート番号を、プールされている使用可能なＳＩＰサーバのＩＰアドレスとポート番号に書き換え、また、呼制御メッセージに応答する加入者端末からの呼制御メッセージ内にメディア信号の受信先として指定している自加入者端末のＩＰアドレスとポート番号を、プールされている使用可能なＳＩＰサーバのＩＰアドレスとポート番号に書き換える。そして、書き換えた対応付け情報をＳＩＰサーバ内の変換テーブル保存しておく。そして、加入者端末からメディア信号が発呼され受信すると、宛先とされているＳＩＰサーバのＩＰアドレスとポート番号を変換テーブルを元に相手加入者端末のＩＰアドレスとポート番号宛に変換して送信する。
【００１４】
本発明は、このように、ＶＬＡＮにてレイヤ２レベルで加入者間の通信を規制しているネットワークにおいてＶｏＩＰサービスを実現しようとした際、本来加入者間で直接通信されるメディアが規制されてしまう問題を、呼制御を行うＳＩＰサーバ内に具備したメディアスイッチ手段によって、終端、中継することにより、ＶＬＡＮ環境において高いセキュリティを保持しつつ、ＶｏＩＰのサービス提供ができるようにした。
【００１５】
すなわち、同一ネットワーク内に位置する加入者端末間のＶｏＩＰは、本来音声や画像などのメディアは加入者端末間で直接通信を行うが、ＶＬＡＮネットワークではセキュリティ上加入者端末間の通信が規制されているため通信ができないところ、ＳＩＰサーバにて加入者端末からの呼制御メッセージ内に受信先として指定しているＩＰアドレスとポート番号を、メディアスイッチ手段にプールされている使用可能なＩＰアドレスとポート番号に書き換えることにより、ＳＩＰサーバ内に具備したメディアスイッチ手段を中継するようにすることにより、ＶＬＡＮ環境下においてもＶｏＩＰを可能とするように呼制御メッセージを書き換えるものである。
【００１６】
具体的には、Ａ加入者端末がＢ加入者端末からのメディア信号を受信するためのＩＰアドレスとポート番号を、ＳＩＰメッセージの「ＩＮＶＩＴＥ」上にコーディングして、ＳＩＰサーバに送信するが、Ｂ加入者端末はこのＩＰアドレスとポート番号にアクセスできない。そこで、ＳＩＰサーバにおいて、Ａ加入者端末がＢ加入者端末からのメディア信号を受信するためのＩＰアドレスとポート番号を、Ａ加入者端末からアクセス可能なメディアスイッチ手段のＩＰアドレスとポート番号に書き換えることより、Ｂ加入者端末からのメディア信号をメディアスイッチ手段にて受信することを可能とする。
【００１７】
そして、メディア信号がＢ加入者端末からメディアスイッチ手段に送信されると、メディアスイッチ手段において、自ＩＰアドレスとポート番号を、Ａ加入者端末がＳＩＰメッセージ「ＩＮＶＩＴＥ」上にコーディングしてきたＩＰアドレスとポート番号に変換する。その上で、Ｂ端末からのメディア信号をＡ加入者端末へ送信する。
【００１８】
更に、Ｂ加入者端末がＡ加入者端末からのメディア信号を受信するためのＩＰアドレスとポート番号を、ＳＩＰメッセージ「ＩＮＶＩＴＥ」に応答するＳＩＰメッセージの「２０００ＯＫ」上にコーディングして、ＳＩＰサーバに送信し、ＳＩＰサーバにおいて、Ｂ加入者端末がＡ加入者端末からのメディア信号を受信するためのＩＰアドレスとポート番号を、Ｂ加入者端末からアクセス可能なメディアスイッチ手段のＩＰアドレスとポート番号に書き換えることより、Ａ加入者端末からのメディア信号をメディアスイッチ手段にて受信することを可能とするようにしてもよい。
【００１９】
この場合、メディア信号がＡ加入者端末からメディアスイッチ手段に送信されると、メディアスイッチ手段において、自ＩＰアドレスとポート番号を、Ｂ加入者端末がＳＩＰメッセージ「２０００ＯＫ」上にコーディングしてきたＩＰアドレスとポート番号に変換する。その上で、Ａ端末からのメディア信号をＢ加入者端末へ送信する。これによって、Ａ加入者端末とＢ加入者端末との間で双方向の通信が可能となる。
【００２０】
【発明の実施の形態】
先ず、ＶＬＡＮについて簡単に説明しておく。図４は、ＶＬＡＮを説明するための加入者端末通信システムの一モデルを示す。この例では、４つの加入者端末１００〜１０３とＳＩＰサーバ４００との間に３つのレイヤ２スイッチ３００〜３０２を設けることによって、４つのＶＬＡＮ９００〜９０３を構築している。
【００２１】
加入者端末１００〜１０３とはＩＰネットワーク上で加入者が使用できるＩＰ電話機等の端末機である。また、レイヤ２スイッチ３００〜３０２とはＯＳＩの第２層（データリンク層）でパケット転送処理を行うルーターであり、ＳＩＰサーバ４００とはＩＰ（インターネットプロトコル）電話の呼設定をするためのＩＰを実行するサーバである。
【００２２】
レイヤ２スイッチ３００は、加入者端末１００と加入者端末１０１の間の通信を規制し、加入者端末１００とレイヤ２スイッチ３０２、及び加入者端末１０１とレイヤ２スイッチ３０２の間の通信を制御する。レイヤ２スイッチ３０１は、加入者端末１０２と加入者端末１０３の間の通信を規制し、加入者端末１０２とレイヤ２スイッチ３０２、及び加入者端末１０３とレイヤ２スイッチ３０２の間の通信を制御する。そして、レイヤ２スイッチ３０２は、レイヤ２スイッチ３００とレイヤ２スイッチ３０１の間の通信を規制し、レイヤ２スイッチ３００とＳＩＰサーバ４００、及びレイヤ２スイッチ３０１とＳＩＰサーバ４００との間の通信を制御する。
【００２３】
この結果、加入者端末１００〜１０３それぞれは、ＳＩＰサーバ４００との間でのみ通信が可能であるが、従来、ＩＰネットワーク上では、加入者端末１００〜１０３の相互間で直接に通信したいという要請は乏しかった。
【００２４】
次に、本発明の実施の形態について図面を参照して説明する。
【００２５】
図１は本発明の加入者端末間通信システムの一実施例を示すブロック図である。この加入者端末間通信システムにおいても、図４に示したのと同様に３つのレイヤ２スイッチ３００〜３０２により４つのＶＬＡＮ９００〜９０３が形成されているが、図面の煩雑化を回避するために図示を省略している。
【００２６】
加入者端末１００〜１０３それぞれは、制御信号を送信するためのＩＰアドレスとポート番号（以下、「制御信号送信番地」と記す）２００〜２０３，制御信号を受信するためのＩＰアドレスとポート番号（以下、「制御信号受信番地」と記す）２１０〜２１３，音声などのメディア信号を送信するためのＩＰアドレスとポート番号（以下、「メディア送信番地」と記す）２２０〜２２３，メディア信号を受信するためのＩＰアドレスとポート番号（以下、「メディア受信番地」と記す）２３０〜２３３を備えている。制御信号送信番地，制御信号受信番地，メディア送信番地及びメディア受信番地は、加入者端末１００〜１０３の間では認識できないが、加入者端末１００〜１０３とＳＩＰサーバ４００との間では認識できる。
【００２７】
ＳＩＰサーバ４００は、呼制御手段５００，メディアスイッチ手段７００，及び変換テーブル８００を含む。
【００２８】
呼制御手段５００は呼制御を行い、レイヤ２スイッチ３００対応の制御信号送信番地６００と、レイヤ２スイッチ３０１対応の制御信号送信番地６０１と、レイヤ２スイッチ３００対応の制御信号受信番地６１０と、レイヤ２スイッチ３０１対応の制御信号受信番地６１１とを備えている。
【００２９】
メディアスイッチ手段７００はメディア信号の制御を行い、２つのメディア送信番地６２０，６２１と、２つのメディア受信番地６３０，６３１とを備えている。メディア送信番地６２０と６２１は、空いている方が使用される。メディア受信番地６３０と６３１についても同様である。
【００３０】
変換テーブル８００は、加入者端末１００〜１０３のメディア受信番地をＳＩＰサーバ４００のメディア受信番地に書き換えた場合に、両メディア受信番地の対応情報を保持する。図２は３組の変換例の具体的な例を示している。例えば、１つ目の変換例では、ＩＰアドレスが１０．４０．２２１．１００でポート番号が１００００というＳＩＰサーバ４００のメディア受信番地が、ＩＰアドレスが１０．４０．２２１．３０でポート番号が２０２４６という加入者端末のメディア受信番地に対応している。
【００３１】
次に、以上のように構成された本実施例の動作について、図３を参照して説明する。
【００３２】
加入者端末１００から加入者端末１０３へ発呼する場合、加入者端末１００は、加入者端末１０３を指定すると共に、加入者端末１０３との間のＶｏＩＰ通信時にパケットを受信するメディア受信番地２３０を「ＩＮＶＩＴＥ」メッセージ内に付加する。そして、制御信号送信番地２００からＳＩＰサーバ４００の制御信号受信番地６１０宛に送信する（図３の▲１▼）。この「ＩＮＶＩＴＥ」メッセージは、レイヤ２スイッチ３００，３０２を経由してＳＩＰサーバ４００に到り、呼制御手段５５０の制御信号受信番地６１０で受信される。
【００３３】
ＳＩＰサーバ４００においては、メディアスイッチ手段７００におけるメディア信号受信番地６３０と６３１の内から空きのメディア受信番地（６３１とする）を抽出して、受信した「ＩＮＶＩＴＥ」メッセージ内のメディア受信番地２３０をメディア受信番地６３１に書き換える。その上で、呼制御手段５５０は、制御信号送信番地６０１から着信先の加入者端末１０３の制御信号受信番地２１３宛に「ＩＮＶＩＴＥ」メッセージを送信する（図３の▲２▼）。
【００３４】
これは、レイヤ２スイッチ３００〜３０２のＶＬＡＮ機能にて加入者端末１００〜１０３間のアクセスが規制されていて、加入者端末１００と加入者端末１０３は直接には通信できないため、ＳＩＰサーバ４００を媒介させ、加入者端末１０３からはメディア信号受信番地２３０に代わってメディア受信番地６３１を認識させるようにしたものである。このメディア受信番地６３１とメディア受信番地２３０の対応付け情報は変換テーブル８００に保存される。図３中の変換テーブル８００にはこの書換えの様子が示されている。
【００３５】
ＳＩＰサーバ４００から加入者端末１０３に向けて送信された「ＩＮＶＩＴＥ」メッセージは、レイヤ２スイッチ３０２，３０１を経由して加入者端末１０３の制御信号受信番地２１３で受信される。加入者端末１０３は、「ＩＮＶＩＴＥ」メッセージへの応答時には、ＶｏＩＰ通信時にパケットを受信するメディア受信番地２３３を「２００ＯＫ」メッセージ内に付加して、制御信号送信番地２０３からＳＩＰサーバ４００の制御信号受信番地６１１宛に送信する（図３の▲３▼）。
【００３６】
この「２００ＯＫ」メッセージは、レイヤ２スイッチ３０１，３０２を経由して呼制御手段５００の制御信号受信番地６１１で受信される。ＳＩＰサーバ４００では、呼制御手段５５０の制御信号送信番地６００から、発信元の加入者端末１００の制御信号受信番地２１０宛に「２００ＯＫ」メッセージを送信する（図３の▲４▼）。このとき、前述と同様な理由により、メディアスイッチ手段７００におけるメディア受信番地６３０と６３１の内から空きのメディア受信番地６３０を抽出し、メディア受信番地２３３をメディア受信番地６３０に書き換えて送信する。このメディア信号受信番地６３０とメディア受信番地２３３の対応付け情報は変換テーブル８００に保存される。
【００３７】
ＳＩＰサーバ４００から送信された「２００ＯＫ」メッセージは、レイヤ２スイッチ３０２，３００を経由して加入者端末１００の制御信号受信番地２１０で受信される。
【００３８】
このようにしてＶＬＡＮ環境下におけるＶｏＩＰ通信のための準備が整ったので、加入者端末１００と加入者端末１０３間のメディアパケットは、ＳＩＰサーバ４００によって中継されことにより、以下のようにＩＰネットワーク内で通信される。
【００３９】
加入者端末１００から加入者端末１０３宛のメディア信号は、メディア送信番地２２０からレイヤ２スイッチ３００，３０２を経由して、「２００ＯＫ」メッセージ内に記述されたメディア受信番地６３０宛に送信される（図３の▲５▼）。
【００４０】
メディア信号を受信したメディアスイッチ手段７００は、メディア受信番地６３０を変換テーブル８００内の情報を元に本来の通信先である加入者端末１０３のメディア受信番地２３３に変換し、受信したメディア信号をメディア受信番地２３３に向けてメディア送信番地６２１から送信する（図３の▲６▼）。このようにして、加入者端末１００からのメディア信号は、メディアスイッチ手段７００を介して加入者端末１０３へ転送され、レイヤ２スイッチ３０２，３０１を経由して加入者端末１０３のメディア受信番地２３３で受信される。
【００４１】
加入者端末１０３からのメディア信号は、メディア送信番地２２３からレイヤ２スイッチ３０１，３０２を経由して、「ＩＮＶＩＴＥ」メッセージ内に記述されたメディア送信番地６３１宛に送信される（図３の▲７▼）。
【００４２】
メディア信号を受信したメディアスイッチ手段７００は、メディア受信番地６３１を変換テーブル８００内の情報を元に本来の通信先である加入者端末１００のメディア受信番地２３０に変換し、受信したメディア信号をメディア受信番地２３０に向けてメディア送信番地６２０から送信する（図３の▲８▼）。このようにして、加入者端末１０３からのメディア信号は、メディアスイッチ手段７００を介して加入者端末１００へ転送され、レイヤ２スイッチ３０２，３００を経由して加入者端末１００のメディア受信番地２３０で受信される。
【００４３】
以上の結果、加入者端末１００と加入者端末１０３間の直接の通信がレイヤ２スイッチ３００〜３０２のＶＬＡＮ機能にてアクセスが規制されているネットワーク構成において、アクセスが許容されているＳＩＰサーバ４００による媒介の下にメディア信号を終端・中継させるように制御させることによって、ＶｏＩＰサービスの導入を図ることができる。
【００４４】
なお、以上の説明は、ＳＩＰメッセージ「「ＩＮＶＩＴＥ」とＳＩＰメッセージ「２０００ＯＫ」を発行しているので、加入者端末１００と加入者端末１０３との間で双方向の通信を行う例についてのものであるが、片方向の通信でよければ、ＳＩＰメッセージ「「ＩＮＶＩＴＥ」のみを発行することで足りる。
【００４５】
【発明の効果】
本発明の効果は、ＶＬＡＮ環境下において直接通信が許容されていない加入者端末間における通信を、加入者との通信が許容されているＳＩＰサーバ内に具備したメディアスイッチを介すことにより、既存ネットワークに影響を与えることなくＶｏＩＰサービスを実現できるようになるということにある。
【図面の簡単な説明】
【図１】本発明の加入者端末通信システムの一実施例を示すブロック図
【図２】本発明で使用する変換テーブルの具体的な内容例を示す図。
【図３】図１に示した加入者端末通信システムの動作シーケンスを説明するための図
【図４】ＶＬＡＮを説明するための加入者端末通信システムの一モデルを示す図
【符号の説明】
１００〜１０３      加入者端末
２００〜２０３      制御信号送信番地
２１０〜２１３      制御信号受信番地
２２０〜２２３      メディア送信番地
２３０〜２３３      メディア受信番地
３００〜３０２      レイヤ２スイッチ
４００              ＳＩＰサーバ
５００              呼制御手段
６００〜６０１      制御信号送信番地
６１０〜６１１      制御信号受信番地
６２０〜６２１      メディア送信番地
６２２〜６２３      メディア受信番地
７００              メディアスイッチ手段
８００              変換テーブル
９００〜９０３      ＶＬＡＮ
【図１】
2005020080.tif 000003
【図２】
2005020080.tif 000004
【図３】
2005020080.tif 000005
【図４】
2005020080.tif 000006